(57)【特許請求の範囲】
【請求項１】
排尿を受けて排出する小便器であって、
排尿を受けるボウル面を備えたボウル部と、
このボウル部の上部に設けられボウル面に洗浄水を吐水する吐水装置と、
上記ボウル部の底部に設けられた排水口と連通して洗浄水を排出すると共に上記ボウル部の下流側に封水を形成する排水トラップ部と、
この排水トラップ部の下流側に設けられ、小便器外部の排出部に接続される排水室と、を有し、
上記排水室が、上記排水トラップ部および上記排出部に接続される底壁と、上記ボウル部内の下方領域および上記排水室内を区画するボウル側壁と、を備え、
上記ボウル部から掃除用具を挿入可能であり着脱自在な蓋によって閉塞される掃除口が上記ボウル側壁に形成され、
上記排水室の後端部の上方端と下方端の間に上記掃除口の開口断面の垂線が通るように上記排水室が形成され、且つ、上記排水室の底壁が上記垂線に対してほぼ平行に、または、上記垂線に対して遠ざかる方向に形成され、更に、上記排水室の底壁が前方から後方に向かって下り傾斜していることを特徴とする小便器。
【請求項２】
上記排水室の底壁と上記排出部との連結部が、上記蓋を取り外した状態で上記掃除口から目視可能な位置に形成されていることを特徴とする請求項１に記載の小便器。
【請求項３】
上記排水室の底壁が、上記蓋を取り外した状態で上記掃除口から目視可能な位置に形成されていることを特徴とする請求項１または請求項２に記載の小便器。
【請求項４】
上記排水室の底壁が、上記小便器外部の上記排出部に向かってほぼ直線状に延びていることを特徴とする請求項１乃至請求項３の何れか１項に記載の小便器。
【請求項５】
上記掃除口の開口断面の中心が、上記排出部と上記底壁との接続部よりも前方側に位置していることを特徴とする請求項１乃至請求項４の何れか１項に記載の小便器。
【請求項６】
上記掃除口の下端縁が、上記排出部の断面の中心よりも上方に位置していることを特徴とする請求項１乃至請求項５の何れか１項に記載の小便器。
【請求項７】
更に、ボウル部の下方に配置され、上記排水口、上記掃除口及び上記蓋を覆う目皿を有していることを特徴とする請求項１乃至請求項６の何れか１項に記載の小便器。
【発明の詳細な説明】
【技術分野】
【０００１】
本発明は、小便器に係り、特に排尿を受けて排出する小便器に関する。
【背景技術】
【０００２】
通常、排尿を受けて排出する小便器には、洗浄水を供給してボウル面を洗浄する吐水部が設けられており、小便器を使用する時や、排水配管の詰まりを抑制する時に、この吐水部からボウル面に洗浄水を供給してボウル面を洗浄している。
【０００３】
小便器のボウル面を洗浄した洗浄水は、ボウル面の下方に設けられた排水口から流出し、排水口の下流側に設けられた排水トラップを経て、排水トラップと接続された排水室に流れ、この排水室から小便器の外部の排水配管へと流れ、小便器の外部に排出される。
【０００４】
したがって、小便器からの洗浄水の排水経路の構造上、排水配管内の残尿が排水配管内に存在する微生物等によって尿石に変化することもあり、特に排水トラップ、排水室、または排水室の下流側端部と小便器の外部の排水配管との連結部等に尿石が付着・堆積し易くなっている。
そして、公共現場においては、この排水配管の尿石による閉塞の防ぐために、セラミックや金属製のヤスリ状掃除用具を用いて、定期的に排水配管内の内面に付着した尿石を研削除去している。
【０００５】
このため、例えば、特許文献１に示された小便器では、尿石を除去するために、トラップの排水側（二次側）の上方位置にある鉢体に開孔を形成して、開孔に目皿部と一体に形成した閉塞具を着脱自在に取り付け、清掃の際にはこの開孔を通してトラップの流出部から排水管口までの清掃していた
【０００６】
この特許文献１に記載された小便器においては、閉塞具を開孔から外すと、トラップの排水側に連通して、トラップの排水側および排水管口側の清掃が可能となる。
【先行技術文献】
【特許文献】
【０００７】
【特許文献１】実開平６−６０６８４号公報
【発明の概要】
【発明が解決しようとする課題】
【０００８】
しかしながら、上述した従来の小便器においては、開孔や排水管の構造上、排水管近傍（排水室）および排水管内に掃除用具を入れにくいため、排水管近傍および排水管内に尿石を除去しきれず、尿石が排水管近傍および排水管内に残ってしまうため、更なる改良の余地があった。
【０００９】
そこで、本発明は、上述した従来技術の問題を解決するためになされたものであり、排水室や排水配管に掃除用具を挿入し易くして尿石の堆積を抑制することができる小便器を提供することを目的としている。
【課題を解決するための手段】
【００１０】
上記の目的を達成するために、本発明は、排尿を受けて排出する小便器であって、排尿を受けるボウル面を備えたボウル部と、このボウル部の上部に設けられボウル面に洗浄水を吐水する吐水装置と、ボウル部の底部に設けられた排水口と連通して洗浄水を排出すると共にボウル部の下流側に封水を形成する排水トラップ部と、この排水トラップ部の下流側に設けられ、小便器外部の排出部に接続される排水室と、を有し、排水室が、排水トラップ部および排出部に接続される底壁と、ボウル部内の下方領域および排水室内を区画するボウル側壁と、を備え、ボウル部から掃除用具を挿入可能であり着脱自在な蓋によって閉塞される掃除口がボウル側壁に形成され、排水室の後端部の上方端と下方端の間に掃除口の開口断面の垂線が通るように排水室が形成され、且つ、排水室の底壁が垂線に対してほぼ平行に、または、垂線に対して遠ざかる方向に形成され、更に、排水室の底壁が前方から後方に向かって下り傾斜している。
このように構成された発明においては、吐水装置から吐水された洗浄水によりボウル部のボウル面が洗浄され、この洗浄水が排水口を通って排水トラップから排水室を経由して小便器外部の排出部に排出される。
さらに、本発明においては、排水室の後端部の上方端と下流端の間に掃除口の開口断面の垂線が通るように排水室が形成され、且つ、排水室の底壁が、掃除口の開口断面の垂線に対してほぼ平行に、または、垂線に対して遠ざかる方向に形成され、更に、排水室の底壁が前方から後方に向かって下り傾斜していることにより、掃除口から掃除用具を挿入した際、掃除用具を排水室や排水配管まで挿入し易くなるため、尿石の堆積を抑制することができる。
なお、ここでいう「ほぼ平行」とは、完全に平行である場合を含むとともに、完全に平行である場合と同様な効果を奏する程度の「ほぼ平行」の場合を含むものである。
【００１１】
本発明において、好ましくは、排水室の底壁と排出部との連結部が、蓋を取り外した状態で掃除口から目視可能な位置に形成されている。
このように構成された発明においては、排水室の底壁と排出部との連結部が、蓋を取り外した状態で掃除口から目視可能な位置に形成されていることにより、排水室の底壁と排出部との連結部の近傍に尿石が付着しても、その連結部の近傍に的確に掃除用具を挿入し易くなるため、尿石の堆積をさらに抑制することができる。
【００１２】
本発明において、好ましくは、排水室の底壁が、蓋を取り外した状態で掃除口から目視可能な位置に形成されている。
このように構成された発明においては、排水室の底壁が、蓋を取り外した状態で掃除口から目視可能な位置に形成されていることにより、排水室の底壁に尿石が付着しても、その底壁に的確に掃除用具を挿入し易くなるため、尿石の堆積をさらに抑制することができる。
【００１３】
本発明において、好ましくは、排水室の底壁が、小便器外部の排出部に向かってほぼ直線状に延びている。
このように構成された発明においては、排水室の底壁が、小便器外部の排出部に向かってほぼ直線状に延びていることにより、排水室の底壁が掃除用具の案内面として働き、掃除用具を排出部の奥まで挿入し易くなるため、排出部の奥に尿石が堆積することを抑制することができる。
なお、ここでいう「ほぼ直線状」とは、完全に直線状である場合を含むとともに、完全に直線状である場合と同様な効果を奏する程度の「ほぼ直線状」の場合を含むものである。
【００１４】
本発明において、好ましくは、掃除口の開口断面の中心が、排水トラップ部と底壁との接続部よりも前方側に位置している。
このように構成された発明においては、掃除口の開口断面の中心が、排水トラップ部と底壁との接続部よりも前方側に位置していることにより、排水室の底壁に尿石が付着しても、排水室の底壁まで的確に掃除用具を挿入し易くなるため、尿石の堆積をさらに抑制することができる。
【００１５】
本発明において、好ましくは、掃除口の下端縁が、排出部の断面の中心よりも上方に位置している。
このように構成された発明においては、掃除口の下端縁が排出部の断面の中心よりも上方に位置していることにより、排水室の内部を流れる排尿が掃除口にかかりにくくなるため、掃除口の周りに尿石が堆積することを抑制することができる。
【００１６】
本発明は、好ましくは、更に、ボウル部の下方に配置され、排水口、掃除口及び蓋を覆う目皿を有している。
このように構成された発明においては、目皿が、ボウル部の下方に載置されていることにより、排水口、掃除口及び蓋を隠蔽することができるため、意匠性を損なうことなく、排尿が掃除口や蓋に当たってボウル部内に飛散することを抑制することができる。
【発明の効果】
【００１７】
本発明の小便器によれば、排水室や排出部に掃除用具を挿入し易くして尿石の堆積を抑制することができる。
【図面の簡単な説明】
【００１８】
【図１】本発明の実施形態による小便器を前方の上方から見た正面斜視図である。
【図２】図１のＩＩ−ＩＩ線に沿って見た断面図である
【図３】図２に示す小便器の排水トラップ部近傍の部分拡大断面図である。
【図４】図２に示す小便器の排水室近傍の部分拡大断面図である。
【発明を実施するための形態】
【００１９】
以下、図１乃至図４を参照して、本発明の実施形態による小便器について説明する。図１は本発明の実施形態による小便器を前方の上方から見た正面斜視図であり、図２は図１のＩＩ−ＩＩ線に沿って見た断面図であり、図３は図１に示す小便器の排水トラップ部近傍の部分拡大断面図であり、図４は図１に示す小便器の排水室近傍の部分拡大断面図である。
【００２０】
本発明の実施形態による小便器１は、トイレ空間の床または壁に設置される。
図１および図２に示すように、小便器１は、正面側にボウル状に形成されたボウル部２を備え、このボウル部２には、使用者の排尿を受けるボウル面２ａが形成されている。
【００２１】
ボウル部２の上方には、ボウル面２ａを洗浄する洗浄水Ｗを吐水する吐水装置４が設けられており、この吐水装置４の背面側には、洗浄水を供給する給水管５が接続されている。
【００２２】
ボウル部２内の下方領域Ｒ１の最低位置には、排水口２ｂが形成されており、この排水口２ｂからボウル部２のボウル面２ａを洗浄した洗浄水が排水される。
【００２３】
ボウル部２の排水口２ｂの下方には、排水口２ｂと連通する排水トラップ部６が形成されており、この排水トラップ部６は、排水口２ｂから下方に延びる下降管路６ａと、この下降管路６ａの下端から連続して、折り返して上方に延びる上昇管路６ｂとを備えている。
【００２４】
下降管路６ａと上昇管路６ｂとの連続部分（排水トラップ部６の折り返し部分）に洗浄水が溜まることにより、排水トラップ部６内に封水Ｔが形成される。
具体的には、排水トラップ部６内に、ボウル部２の最も低い位置に設けられた排水口２ｂよりも下方（下流側）に封水Ｔが形成され、この封水Ｔにより、小便器１の外部の下水等からの臭気等がボウル部２のボウル面２ａやその周囲のトイレ空間内へ侵入することを防いでいる。
【００２５】
排水トラップ部６の後方側（下流側）には、排水室１０が形成され、この排水室１０により、ボウル面２ａを洗浄して排水口２ｂから排水トラップ部６に流れ込んだ洗浄水（排水）を排水室１０の下流側に接続された小便器１外部の排出部である排水ソケット９および排水配管８に排出させる。
【００２６】
ボウル部２の下方領域Ｒ１の底部には、排水室１０と連通しブラシ等の掃除用具が挿入可能な掃除口２ｃが排水口２ｂより上方かつ後方に形成されている。
そして、掃除口２ｃは、排水口２ｂの後方側の近傍に形成されるボウル面２ａの下方領域の斜面Ｆ１に対して垂直な中心軸線（垂線）Ａ１に沿ってボウル部２を貫くように形成されている。
【００２７】
さらに、この掃除口２ｃにほぼ円板状の蓋１２がボウル部２側から着脱自在に取り付けられており、この蓋１２によって掃除口２ｃが閉塞される。
そして、蓋１２が掃除口２ｃに取り付けられた状態では、蓋１２の表面がボウル面２ａの下方の斜面Ｆ１とほぼ面一となっている。
【００２８】
さらに、蓋１２の外周と掃除口２ｃとの間の隙間には、この隙間をシールするシール部材１２ａが設けられ、このシール部材１２ａにより、排水室１０内の臭気が掃除口２ｃからボウル部２の下方領域Ｒ１内に侵入することを防止している。
なお、シール部材１２ａを上下から挟み込んだり、拡径したりして、排水配管８内の臭気や衛生害虫の侵入防止を図るようなものであってもよい。
【００２９】
さらに、小便器１は、ボウル部２の下方に載置された目皿１４を備え、この目皿１４により、上述した排水口２ｂ、掃除口２ｃ、蓋１２が覆われている。
【００３０】
図３に示すように、排水室１０の上方（ボウル部２側）には、ボウル側壁１０ａが形成されており、このボウル側壁１０ａにより、ボウル部２内の下方領域Ｒ１と排水室１０の内部とを区画している。
また、ボウル側壁１０ａに上述の掃除口２ｃが形成されている。
【００３１】
図３に示すように、排水室１０の下方には、排水トラップ部６の上昇管路６ｂの下流側端部（接続部）６ｃと接続される底壁１０ｂが形成されており、排水トラップ部６の上昇管路６ｂと滑らかに連続している。
さらに、排水室１０の底壁１０ｂは、後方下流側の排水ソケット９およびこの排水ソケット９に接続された排水配管８に向かって緩やかに下り傾斜しながら直線状に延びている。
具体的には、排水室１０の底壁１０ｂは、後方下流側の排水ソケット９および排水配管８に向かって緩やかに下り傾斜において、段差がなく形成されている。
【００３２】
排水配管８は、上流側から下流側にかけて緩やかに下り傾斜しながら、下水管（図示せず）に向かって延びており、排水室１０から排出された洗浄水が、排水配管８内に滞留することなく小便器１の外部に排出される。
【００３３】
なお、本実施形態では、排水室１０が排水ソケット９を介して排水配管８に接続された形態となっているが、排水ソケット９を介さず、排水室１０の下流側と排水配管１６とが接続されてもよい。また、排水室１０は、排水トラップ部６の上昇管路６ｂに一体的に形成されているが、樹脂等を用いて排水トラップ部６と別体に形成されてもよい。また、排水配管８は上流側から下流側にかけて緩やかに下り傾斜しているが、傾斜せずほぼ水平に延びてもよい。
【００３４】
次に、図４により、小便器１の掃除口２ｃおよび排水室１０の構造について詳細に説明する。なお、図４では説明の都合上、掃除口２ｃから蓋１２を取り外した状態を示している。
【００３５】
掃除口２ｃの開口断面Ｓ１の形状はほぼ円形であり、その開口断面Ｓ１の中心Ｃ１の前後方向の位置Ｐ１および掃除口２ｃの下端縁の前後方向の位置Ｐ２は、排水トラップ部６の上昇管路６ｂの下流側端部（接続部）６ｃの前後方向の位置Ｐ３よりも前方に位置している。
【００３６】
掃除口２ｃの下端縁の高さ方向の位置Ｈ１は、排水室１０と排水ソケット９との連結部９ａの流路の高さ方向の中心位置に相当する連結部９ａの開口断面Ｓ２の中心Ｃ２（排水芯）の高さ方向の位置Ｈ２よりも上方に位置している。
【００３７】
掃除口２ｃの開口断面Ｓ１の形状については、円形形状に限らず、例えば、楕円形状や多角形状等であってもよい。
同様に、蓋１２の横断面形状についても、掃除口２ｃの断面形状に応じて適宜変更できる。
【００３８】
排水室１０の底壁１０ｂは、蓋１２が掃除口２ｃから取り外された状態において、掃除口２ｃの開口断面Ｓ１を通る中心軸線Ａ１とほぼ平行な方向に傾斜している。
ここで、本実施形態では、排水室１０の底壁１０ｂは、掃除口２ｃの開口断面Ｓ１を通る中心軸線Ａ１から遠ざかる方向に傾斜していてもよい。
【００３９】
これにより、掃除口２ｃから蓋１２を取り外した状態で、掃除口２ｃから掃除用具（図示せず）を挿入する際、清掃作業者が、排水ソケット９の連結部９ａ付近を目視することができ、尿石が除去できたかどうかを確認しながら、掃除口２ｃから掃除用具を挿入することにより、清掃作業を行うことが可能になる。
特に、尿石の溜まりやすい排水室１０の底壁１０ｂ、排水配管８の底面、および、排水ソケット９の底面、すなわち、排水室１０の後端部と排水ソケット９のとの段差Ｈ（図３参照）がある連結部９ａにおいて、掃除口２ｃから挿入した掃除用具により確実に尿石を除去することができる。
【００４０】
つぎに、本発明の実施形態による小便器の作用について説明する。
小便器１は、使用者がボウル部２内に排尿した後、吐水装置４が給水管４ａから供給された洗浄水をボウル部２のボウル面２ａに吐水する。
この吐水装置４から吐水された洗浄水は、ボウル面２ａを排水口２ｂに向かって上方から下方へ流れながら、ボウル面２ａを洗浄する。
排水口２ｂから排水トラップ部６の下降管路６ａ内に流入した洗浄水は、排水トラップ部６に溜まった尿を下流の上昇管路６ｂへ押し出し、この上昇管路６ｂから排水室１０内に流出した洗浄水が、排水ソケット９を介して尿を排水配管８内へ排水する。
これにより、排水トラップ部６内に溜まった尿が、尿をほとんど含まない洗浄水へと置換される。
【００４１】
つぎに、本発明の実施形態による小便器１の排水トラップ部６よりも下流側の排水室１０と排水配管８における清掃動作について説明する。
まず、清掃作業者は、小便器１のボウル部２の底部に載置された目皿１４を外した後に、掃除口２ｃに取り付けられた蓋１２を取り外し、開放された掃除口２ｃにセラミックや金属製のヤスリ状掃除用具を挿入する。
そして、この掃除用具によって排水室１０や排水配管８に付着した尿石を除去し、この尿石を下流側に押し出して、尿石が残らないように清掃する。
このとき、排水室１０の底壁１０ｂが、掃除口２ｃの開口断面Ｓ１を通る中心軸線Ａ１とおおよそ平行に傾斜しているため、掃除用具を排水配管８の奥まで挿入し易くなっている。
【００４２】
このように掃除口２ｃから蓋１２を取り外して回転砥石状の掃除用具（図示せず）を挿入し易くなり、排水室１０や排水配管８を簡単且つ確実に清掃することができるので、小便器１を排水配管８から取り外すことなく、排水トラップ部６より下流の排水室１０の清掃をすることができ、短時間で清掃作業を完了することができる。
したがって、高速道路の休憩所等の利用者が多い公衆トイレ空間においても、従来よりも短時間で清掃を行うことができるため、小便器１の清掃のために、利用者が小便器１を使用することができない時間を短く抑えることができる。
【００４３】
上述した本発明の実施形態による小便器１によれば、吐水装置４から吐水された洗浄水によりボウル部２のボウル面２ａが洗浄され、この洗浄水が排水口２ｂを通って排水トラップ部６から排水室１０を経由して小便器外部の排出配管８に排出される。
さらに、本実施形態による小便器１によれば、排水室１０の底壁１０ｂが、掃除口２ｃの開口断面Ｓ１の中心軸線Ａ１に対してほぼ平行に、または、中心軸線Ａ１に対して遠ざかる方向に形成されていることにより、掃除口２ｃから掃除用具を挿入した際、掃除用具を排水室１０や排水配管８まで挿入し易くなるため、尿石の堆積を抑制することができる。
【００４４】
また、本実施形態による小便器１によれば、排水室１０の底壁１０ｂと排水ソケット９との連結部９ａが、蓋１２を取り外した状態で掃除口２ｃから目視可能な位置に形成されていることにより、排水室１０の底壁１０ｂと排水ソケット９との連結部９ａの近傍に尿石が付着しても、その連結部９ａの近傍に的確に掃除用具を挿入し易くなるため、尿石の堆積をさらに抑制することができる。
【００４５】
さらに、本実施形態による小便器１によれば、排水室１０の底壁１０ｂが、蓋１２を取り外した状態で掃除口２ｃから目視可能な位置に形成されていることにより、排水室１０の底壁１０ｂに尿石が付着しても、その底壁１０ｂに的確に掃除用具を挿入し易くなるため、尿石の堆積をさらに抑制することができる。
【００４６】
また、本実施形態による小便器１によれば、排水室１０の底壁１０ｂが、小便器外部の排水配管８に向かってほぼ直線状に延びていることにより、排水室１０の底壁１０ｂが掃除用具の案内面として働き、掃除用具を排水配管８の奥まで挿入し易くなるため、排水配管の奥に尿石が堆積することを抑制することができる。
【００４７】
さらに、本実施形態による小便器１によれば、掃除口２ｃの開口断面Ｓ１の中心Ｃ１が、排水トラップ部６と底壁１０ｂとの接続部である下流側端部６ｃよりも後方側に位置していることにより、排水室１０の底壁１０ｂに尿石が付着しても、排水室１０の底壁１０ｂまで的確に掃除用具を挿入し易くなるため、尿石の堆積をさらに抑制することができる。
【００４８】
さらに、本実施形態による小便器１によれば、掃除口２ｃの下端縁が、排水配管８の断面の中心よりも上方に位置していることにより、排水室１０の内部を流れる排尿が掃除口２ｃにかかりにくくなるため、掃除口２ｃの周りに尿石が堆積することを抑制することができる。
【００４９】
さらに、本実施形態による小便器１によれば、目皿１４が、ボウル部２の下方に載置されていることにより、排水口２ｂ、掃除口２ｃ及び蓋１２を隠蔽することができるため、意匠性を損なうことなく、排尿が掃除口２ｃや蓋１２に当たってボウル部２内に飛散することを抑制することができる。
【符号の説明】
【００５０】
１    小便器
２    ボウル部
２ａ  ボウル面
２ｂ  排水口
２ｃ  掃除口
４    吐水装置
５  給水管
６    排水トラップ部
６ａ  下降管路
６ｂ  上昇管路
６ｃ  下流側端部（接続部）
８    排水配管
９    排水ソケット
９ａ  連結部
１０    排水室
１０ａ  ボウル側壁
１０ｂ  底壁
１２    蓋
１２ａ  シール部材
１４    目皿
Ａ１  中心軸線（垂線）
Ｓ１  開口断面
【図１】
0006607342.tif 000002
【図２】
0006607342.tif 000003
【図３】
0006607342.tif 000004
【図４】
0006607342.tif 000005